(57)【特許請求の範囲】
【請求項１】
本体の突起部にクリップを取り付け、クリップにクリップ飾りを取り付けて、クリップが突起部から容易に取り外せないようにするクリップ取付構造であって、
クリップは、突起部が貫通し得ると共に、貫通方向に略直交する方向にスライドした際に前記スライドの向きと反対の向き以外の方向の突起部の動きを制限し得る開口部を有し、
クリップ飾りは、クリップに取り付けたときに、前記スライドの向きと反対の向きの突起部の動きを制限し得るロック部を有し、
開口部は、突起部が貫通し得る大穴と、貫通した状態の突起部が貫通方向に略直交する方向にスライドし得る小穴と、を含むことを特徴とするクリップ取付構造。
【請求項２】
突起部は、本体に設けられた起立片と、起立片に直交する支持片と、から成るＴ字ブロックを含むことを特徴とする請求項１に記載のクリップ取付構造。
【請求項３】
突起部を有する筆記具本体と、
突起部に取り付けられるクリップと、
クリップに取り付けられるクリップ飾りと、
を含む筆記具であって、
クリップは、突起部が貫通し得ると共に、貫通方向に略直交する方向にスライドした際に前記スライドの向きと反対の向き以外の方向の突起部の動きを制限し得る開口部を有し、
クリップ飾りは、クリップに取り付けたときに、前記スライドの向きと反対の向きの突起部の動きを制限し得るロック部を有し、
開口部は、突起部が貫通し得る大穴と、貫通した状態の突起部が貫通方向に略直交する方向にスライドし得る小穴と、を含み、
クリップが突起部から容易に取り外せないことを特徴とする筆記具。
【請求項４】
突起部は、本体に設けられた起立片と、起立片に直交する支持片と、から成るＴ字ブロックを含むことを特徴とする請求項３に記載の筆記具。
【発明の詳細な説明】
【技術分野】
【０００１】
本発明は、クリップ取付構造に関し、特に、筆記具のクリップ取付構造に関する。
【背景技術】
【０００２】
クリップ、例えば、筆記具のクリップは、筆記具本体（軸筒）と一体で形成されるか又は別体で形成された後に取り付けられる。後者のクリップ後付け構造として、様々なものが提案されている。
【０００３】
例えば、特許文献１には、筆記具本体にクリップをスライド移動させて取り付ける構造が開示されている。この構造では、反対方向のスライド移動、すなわち、クリップ外れ方向の動きを阻止するための突起をクリップ自体に設けて、クリップ取付の確実性を図っている。
ところで、クリップには、使用者の嗜好や外観デザインのバリエーションの要求を考慮して、クリップ飾りを備えたものが存在する（例えば、特許文献２および３）。
【０００４】
【特許文献１】特開平１１−２１６９９１号公報
【特許文献２】特開２００３−２３７２９１号公報
【特許文献３】特開２００７−１６８１４２号公報
【発明の開示】
【発明が解決しようとする課題】
【０００５】
特許文献１の構造にあっては、クリップ動作時にクリップが不可避的に変形して、クリップが外れ易くなるという点で、なお改善の余地がある。
特許文献２および３の構造にあっては、クリップ自体の取り付け・外れに関する配慮がない。
本発明は、クリップの取付時にクリップとは別の部材、例えば、装飾部材を巧みに用いて、クリップの外れを阻止ないし取付をより確実なものにできるクリップ取付構造を提供することをその課題とする。
【課題を解決するための手段】
【０００６】
上記課題を解決するために、本発明の第１態様は、本体の突起部にクリップを取り付け、クリップにクリップ飾りを取り付けて、クリップが突起部から容易に取り外せないようにするクリップ取付構造であって、
クリップは、突起部が貫通し得ると共に、貫通方向に略直交する方向にスライドした際に前記スライドの向きと反対の向き以外の方向の突起部の動きを制限し得る開口部を有し、
クリップ飾りは、クリップに取り付けたときに、前記スライドの向きと反対の向きの突起部の動きを制限し得るロック部を有することを特徴とする。
【０００７】
本発明の第２態様は、第１態様において、開口部は、突起部が貫通し得る大穴と、貫通した状態の突起部が貫通方向に略直交する方向にスライドし得る小穴と、を含むことを特徴とする。
【０００８】
本発明の第３態様は、
突起部を有する筆記具本体と、
突起部に取り付けられるクリップと、
クリップに取り付けられるクリップ飾りと、
を含む筆記具であって、
クリップは、突起部が貫通し得ると共に、貫通方向に略直交する方向にスライドした際に前記スライドの向きと反対の向き以外の方向の突起部の動きを制限し得る開口部を有し、
クリップ飾りは、クリップに取り付けたときに、前記スライドの向きと反対の向きの突起部の動きを制限し得るロック部を有し、
クリップが突起部から容易に取り外せないことを特徴とする。
【０００９】
本発明の第４態様は、第３態様において、
開口部は、突起部が貫通し得る大穴と、貫通した状態の突起部が貫通方向に略直交する方向にスライドし得る小穴と、を含むことを特徴とする。
【００１０】
本発明の第５態様は、第３態様又は第４態様において、
突起部は、本体に設けられた起立片と、起立片に直交する支持片と、から成るＴ字ブロックを含むことを特徴とする。
【発明の効果】
【００１１】
本発明によれば、クリップの取り付け性を著しく改善でき、同時に、クリップが容易に取り外せないようにすることができる。また、クリップとクリップ飾りの２部材にできるので、設計の自由度が拡大し、極めて実用的・実際的である。内部構造がクリップおよびクリップ飾りでスッポリ覆われるので、美観上好ましい。
本発明の上記および他の目的、特徴、および利点（効果）については、本発明の実施形態の説明および図面から当業者にとって明らかになろう。
【発明を実施するための形態】
【００１２】
以下、図面を参照して、本発明の一実施形態を詳細に説明するが、本発明自体はそれに限定されないことは言うまでもない。
【００１３】
先ず、図１を参照して、本発明の一実施形態に係る筆記具１の概要について簡潔に説明する。筆記具１は、ワンノック（１回の押圧動作）で直径０．５ｍｍの鉛筆芯Ｌを筆記具先端から所定量だけ繰り出すことができるメカニカルペンシルである。
【００１４】
本実施形態の筆記具１は、内部中央に配置されて芯繰り出し機構の主要部を構成するメカセット３と、メカセット３の前方部分を同心状に覆う先軸５と、メカセット３の後方部分を同心状に覆う後軸７と、先軸５の先端に装着されて鉛筆芯Ｌの出没を案内する先端チップ９と、メカセット３の後端に連結されて後軸７の後端から突出する芯繰り出し用のノックバー１１と、を基本的に含む。
【００１５】
メカセット３は、チャック１３、チャックリング１５、スリーブ１７、スプリング１９、芯パイプ２１等を含んで構成される。メカセット３の構造自体は、本発明と直接関係しないので、これ以上の説明は省略する。
【００１６】
先軸５は、先端部分のみが外部に露出するように、外周が握り部２３によって覆われる。握り部２３は、握り性や美観を考慮して、二色成形法（ダブルモールド法）により、先軸５とは異なった材質および色の樹脂材料を用いて、先軸５と一体に形成される。
【００１７】
先軸５の後端側の内部には、先軸５および後軸７の相互連結のため、後軸７の雄ネジ部７ｓと螺合する雌ネジ部５ｓが形成される。
【００１８】
メカセット３（芯パイプ２１）とノックバー１１とは、後軸７の内部において中軸を介して連結され、ノックバー１１の内部には、消しゴム２７が収納される。
【００１９】
次に、図２〜図４を参照して、後軸７について説明する。
【００２０】
後軸７は、先端側（図２および３では左手側部分）の小径部２９と、後端側の大径部３１と、から構成される。小径部２９の中間部分には、上述したように、先軸５および後軸７の相互連結用の雄ネジ部７ｓが形成される。小径部２９は、先軸５および後軸７の連結時において、先軸５（握り部２３）に覆われて外部に露出しない。
【００２１】
後軸７の大径部３１の先端側および後端側には、美観を考慮して、二色成形法により、螺旋模様（段差を含む）が形成される。
【００２２】
大径部３１の後端側には、矩形板状（図２）の基部３３が設けられ、基部３３の上面には、筆記具軸線方向に所定距離だけ離間し、側方（図３の紙面では上方（Ｚ方向））に突出するクリップ固定用の一対の突起部３７、３９が設けられる。
【００２３】
突起部３７、３９の各々は、図４に示すように筆記具軸線方向から見るとＴ字形状を呈するＴ字ブロック３７、３９から構成され、Ｔ字ブロック３７、３９は、基部側の起立片３７ａ、３９ａと、起立片に直交する、上方から見て矩形（図２）を呈する先端側の支持片３７ｂ、３９ｂと、を含む。
【００２４】
詳細は後述するが、Ｔ字ブロック（突起部）３７、３９の起立片３７ａ、３９ａは、クリップ４１のＸ方向（図１４）の動きを制限する機能を奏し、Ｔ字ブロック３７、３９の支持片３７ｂ、３９ｂは、クリップ４１のＺ方向（図１４）の動き（すなわち、クリップ外れ）を制限する機能を奏する。
【００２５】
次に、図５〜図９を参照して、クリップ４１について説明する。
【００２６】
クリップ４１は、先端側（図５では左手側）が鋭くなった長板形状を有する。クリップ４１の一面すなわち外面には、クリップ飾り４３を受け入れる所定深さの窪み（窪み面）４５が設けられる。
【００２７】
クリップ４１の反対面すなわち裏面の先端側には、クリップ４１によるクリップ力の作用部を構成する円弧状のクリップ玉部４７が設けられる。
【００２８】
クリップ４１の後端側（図５では右手側）には、後軸７の一対の突起部３７、３９がそれぞれ貫通し得る一対の開口部４９、５１が設けられる。
【００２９】
開口部４９、５１の各々は、図５に示すように上方から見て矩形状の大穴４９ａ、５１ａと、大穴４９ａ、５１ａに繋がり且つ両側のガイド板部５３ｍ、５３ｎ、５５ｍ、５５ｎによって幅を狭められた小穴４９ｂ、５１ｂと、を含む。ガイド板部５３ｍ、５３ｎ、５５ｍ、５５ｎは、クリップ窪み面４５とクリップ裏面との間の寸法すなわち厚さよりも薄い（図６、図８）。
【００３０】
ガイド板部５３ｍ、５３ｎ、５５ｍ、５５ｎの中間位置には、上方（Ｚ方向）に隆起すると共に、相互に対向する方向（Ｘ方向）に隆起する膨出部分５３ｐ、５５ｐが設けられる。膨出部分５３ｐ、５５ｐは、後述するようにＴ字ブロック（突起部）３７、３９に押圧式に係合してクリップ４１の取り付けガタの発生を抑制する機能を奏する。
【００３１】
開口部４９、５１の大穴４９ａ、５１ａは、後軸７の突起部３７、３９の（矩形状）支持片３７ｂ、３９ｂの貫通（ないしＺ方向抜き差し）が容易にできるような大きさを有する。開口部４９、５１の小穴４９ｂ、５１ｂは、後軸７の突起部３７、３９の起立片３７ａ、３９ａの貫通（ないしガイド板部５３ｍ、５３ｎ、５５ｍ、５５ｎに沿ったＹ方向スライド）ができるような大きさを有する。
【００３２】
クリップ４１の先端側には、貫通孔５９が形成され、貫通孔５９の先端部分には、庇状（ひさし状）の先端係止部６１が設けられる（図６、図９）。先端係止部６１は、後述するようにクリップ飾り４３と係合してクリップ飾り４３の先端側を保持する機能を奏する。
【００３３】
クリップ４１の後端側の開口部５１には、軒下風の後端係止部６３が設けられる（図６）。後端係止部６３は、後述するようにクリップ飾り４３と係合してクリップ飾り４３の後端側を保持する機能を奏する。
【００３４】
クリップ４１の先端と後端の中間部分における両側には、矩形状の貫通孔６５が形成され、貫通孔６５の対向する外側には、軒下風の中間係止部６７が設けられる（図７、図９）。中間係止部６７は、後述するようにクリップ飾り４３と係合してクリップ飾り４３の中間部分を保持する機能を奏する。
【００３５】
次に、図１０〜図１３を参照して、クリップ飾り４３について説明する。
【００３６】
クリップ飾り４３は、クリップ４１の外面（図５の紙面）の窪み４５にピタリと嵌合するような外形形状を有する。クリップ飾り４３の先端には、クリップ飾り嵌合時に、クリップ先端の貫通孔５９の先端係止部６１に係合する先端フック部６９が設けられる。
【００３７】
クリップ飾り４３の後端には、クリップ飾り嵌合時に、クリップ後端側の開口部５１の後端係止部６３に係合する後端フック部７１が設けられる。
【００３８】
クリップ飾り４３の先端と後端の中間部分における両側には、クリップ飾り嵌合時に、貫通孔６５の中間係止部６７に係合する中間フック部７３が設けられる。
【００３９】
クリップ飾り４３の裏面（図１３）には、クリップ飾り嵌合時に、後軸７の２つの突起部３７、３９（の上端部）と物理的に干渉しないように矩形状の逃げ部（窪み）７５が２ヶ所設けられる。
【００４０】
両逃げ部７５の間には、クリップ飾り嵌合時に、少なくとも一方の突起部、すなわち、本実施形態では前方側の突起部３７の後方側側面に少なくとも係合して突起部３７の後方への動きを規制するための楔状（くさび状）のロック部７７が突出形成される。
【００４１】
ロック部７７が突起部３７の動きを規制することにより、後軸７（突起部３７）とクリップ４１との間の筆記具軸線方向の相対移動（すなわち、クリップ４１が外れる方向の動き）が阻止される。
【００４２】
なお、クリップ取付時ないしクリップ飾り嵌合時を示す図１の状態にあっては、ロック部７７は、前方側の突起部３７と、クリップ４１の両開口部４９、５１を隔てるクリップ部分４１ａ（図６）と、の間に割り込むように嵌合して、後軸７およびクリップ４１の間の相対移動（クリップ外れの動き）をより確実に阻止している。
【００４３】
以下、筆記具本体（後軸７）に対するクリップ４１（およびクリップ飾り４３）の取り付け手順について、要点を簡潔に説明する。
【００４４】
先ず、図１４に示すように、後軸７（筆記具本体）に対してクリップ４１を上方側から近づけて、後軸７の２つの突起部（Ｔ字ブロック）３７、３９に、対応するクリップ４１の開口部４９、５１の大穴４９ａ、５１ａをそれぞれ宛がって、両突起部３７、３９が開口部４９、５１の対応する大穴４９ａ、５１ａをそれぞれ貫通するように、後軸７およびクリップ４１を相対的に位置づける。
【００４５】
次いで、図１５に示すように、後軸７に対してクリップ４１を後方（矢印）に平行移動させることにより、後軸７の突起部すなわちＴ字ブロック３７、３９の起立片３７ａ、３９ａが、両側のガイド板部５３ｍ、５３ｎ、５５ｍ、５５ｎに沿って開口部４９、５１の小穴４９ｂ、５１ｂを貫通する位置に移動しつつ、突起部（Ｔ字ブロック）３７、３９の前方側側面が開口部４９、５１の小穴４９ｂ、５１ｂの前方側側面に当接する。
【００４６】
この当接状態にあっては、クリップ４１のガイド板部５３ｍ、５３ｎ、５５ｍ、５５ｎ（膨出部分５３ｐ、５５ｐ）が後軸７のＴ字ブロック（突起部）３７、３９の支持片３７ｂ、３９ｂと基部３３上面との間に挟まれることにより、クリップ４１は、Ｚ方向の動きが抑制される。それと同時に、ガイド板部５３ｍ、５３ｎ、５５ｍ、５５ｎの間（すなわち、小穴４９ｂ、５１ｂ内）にＴ字ブロック３７、３９の起立片３７ａ、３９ａが位置することにより、クリップ４１は、Ｘ方向の動きが抑制される。すなわち、クリップ４１のＺ方向およびＸ方向の動きは、確実に阻止される。
【００４７】
他方、クリップ４１のＹ方向の動き（前方移動）の抑制は、ガイド板部５３ｍ、５３ｎ、５５ｍ、５５ｎ（膨出部分５３ｐ、５５ｐ）と、これを上下から挟み込むＴ字ブロック（突起部）３７、３９の支持片３７ｂ、３９ｂおよび後軸７基部３３上面、との間の摩擦力に基づくものになる。すなわち、この状態では、クリップ４１のＹ方向の動き（クリップ４１を外す方向の動き）は、確実に阻止されているとは言えない。
【００４８】
そこで、クリップ４１の外面の窪みにクリップ飾り４３が装着（嵌合）される。すなわち、クリップ飾り４３の先端フック部６９、中間フック部７３、後端フック部７１が、対応するクリップ４１の先端係止部６１、中間係止部６７、後端係止部６３にそれぞれ係合する。
【００４９】
これにより、クリップ飾り４３は、クリップ４１に対して確実に一体的に固定される。その際、上述したように、クリップ飾り４３の裏面から突出するロック部７７が、前方側の突起部３７と、クリップ４１の両開口部４９、５１を隔てるクリップ部分４１ａ（図６）と、の間に位置して、クリップ４１の前方移動（Ｙ方向の動き）を確実に阻止する。
【００５０】
以上のように、本実施形態の特徴的な構成によれば、筆記具本体（後軸７の突起部３７、３９）に対するクリップ４１の装着により、筆記具本体に対するクリップ４１のＺ方向（上方向）およびＸ方向（横方向）の動き（Ｘ、Ｙ、Ｚ軸線周りの旋回を含む）を確実に阻止でき、次いで、クリップ４１に対するクリップ飾り４３の装着により、筆記具本体に対するクリップ４１のＹ方向（筆記具軸線方向、正確には、クリップ取り外し方向）の動きを確実に阻止できる。
【００５１】
すなわち、後軸７およびクリップ４１の特徴的な連結構造と、クリップ４１およびクリップ飾り４３の特徴的な連結構造と、が相俟って、クリップ４１の安全かつ確実な取り付けを実現することができる。
また、連結構造が単純であり、部品点数が少なくて済むために、安価且つ簡易にそして容易に組立て作業を行うことが可能である。
更に、連結構造の仕組みが外部に直接露出しないようにクリップ飾り４３で覆ったり、連結構造の一部がクリップ４１の裏面側に出来るだけ突出しないように目立たない処理を行っているので、筆記具１の商品価値や美観を相当向上させることが可能である。
【００５２】
本発明は、上記実施形態に限定されるものではなく、本発明の範囲内、すなわち、特許請求の範囲に記載された範囲内で、各種の改変・変形等を行うことが可能である。
【００５３】
例えば、本実施形態では、筆記具としてメカニカルペンシルを本発明の適用対象としたが、本発明の原理自体はこれに限定されるものではない。すなわち、本発明は、シャープペンシルのみならず、ボールペンや万年筆などの様々な筆記具に適用できることは勿論のこと、例えば、グラフィックタブレットで使用される座標入力用のペン（スタイラス）やペン型の（レーザー）ポインタ等々にも幅広く適用できる。
【図面の簡単な説明】
【００５４】
【図１】本発明の一実施形態に係る筆記具の正面断面図である。
【図２】後軸の正面図である。
【図３】後軸の側面図である。
【図４】図３のＩＶ−ＩＶ線に沿い矢印方向から見た断面図である。
【図５】クリップの正面図である。
【図６】図５のＶＩ−ＶＩ線に沿い矢印方向から見た断面図である。
【図７】図５のＶＩＩ−ＶＩＩ線に沿い矢印方向から見た断面図である。
【図８】図５のＶＩＩＩ−ＶＩＩＩ線に沿い矢印方向から見た断面図である。
【図９】クリップの背面図である。
【図１０】クリップ飾りの正面図である。
【図１１】図１０のＸＩ−ＸＩ線に沿い矢印方向から見た断面図である。
【図１２】図１０のＸＩＩ−ＸＩＩ線に沿い矢印方向から見た断面図である。
【図１３】クリップ飾りの背面図である。
【図１４】筆記具本体の突起部を、クリップの大穴に差し込んだ状態を示す要部斜視図である。
【図１５】図１４に示すクリップを、筆記具本体の突起部がクリップの小穴に位置するように、筆記具本体の後方側にスライドさせた状態を示す要部斜視図である。
【符号の説明】
【００５５】
１    筆記具
３    メカセット
５    先軸
５ｓ    雌ネジ部
７    後軸
７ｓ    雄ネジ部
９    先端チップ
１１    ノックバー
２３    握り部
２５    スライダー
２７    消しゴム
２９    小径部
３１    大径部
３３    基部
３７、３９    突起部（Ｔ字ブロック）
３７ａ、３９ａ    起立片
３７ｂ、３９ｂ    支持片
４１    クリップ
４１ａ    クリップ部分
４３    クリップ飾り
４５    窪み（面）
４９、５１    開口部
４９ａ、５１ａ    大穴
４９ｂ、５１ｂ    小穴
５３ｍ、５３ｎ、５５ｍ、５５ｎ    ガイド板部
５３ｐ、５５ｐ    膨出部分
５９    貫通孔
６１    先端係止部
６３    後端係止部
６５    貫通孔
６７    中間係止部
６９    先端フック部
７１    後端フック部
７３    中間フック部
７５    逃げ部
７７    ロック部
Ｌ    鉛筆芯
【図１】
0005705500.tif 000002
【図２】
0005705500.tif 000003
【図３】
0005705500.tif 000004
【図４】
0005705500.tif 000005
【図５】
0005705500.tif 000006
【図６】
0005705500.tif 000007
【図７】
0005705500.tif 000008
【図８】
0005705500.tif 000009
【図９】
0005705500.tif 000010
【図１０】
0005705500.tif 000011
【図１１】
0005705500.tif 000012
【図１２】
0005705500.tif 000013
【図１３】
0005705500.tif 000014
【図１４】
0005705500.tif 000015
【図１５】
0005705500.tif 000016